(57)【要約】【課題】  骨組機構を開傘した状態で、下ロクロをハジキに係止しているが、その開傘状態から、手元の操作手段を操作するだけで、骨組構造を自動的に閉傘できるようにした自動閉傘洋傘を提供する。【解決手段】  骨組機構を開傘位置から閉傘位置に向けて弾発付勢する閉傘弾発手段と、中棒の内部で上下方向に延びる連動連結手段と、手元に位置して設けられると共に前記連動連結手段の下端部に連結された操作手段と、前記連動連結手段の上端部に連結されると共に下ロクロを開傘位置から下向きに押動するように中棒の外周に上下移動自在に設けられた押動手段と、前記連動連結手段の上端部に連結されると共にハジキの近傍に位置して中棒の内部に上下動自在に設けられた移動手段と、該移動手段が下動したとき該下動に連動してハジキを中棒の内部に没入せしめる駆動手段とを備えた構成である。【選択図】  図１
2006158858.tif 000002
【特許請求の範囲】
【請求項１】
下端部に手元(2)を設けた中棒(1)と、該中棒の上端部に固定された上ロクロ(3)と、該上ロクロの下方において中棒に昇降自在に外挿された下ロクロ(4)と、中棒に出没自在に設けられ常時突出状態に弾発されることにより下ロクロを上昇位置から下降しないように係止するハジキ(9)とを備えており、
基端部を上ロクロに枢着した親骨(6)と、基端部を下ロクロに枢着すると共に先端部を親骨の中途部に枢結した受骨(7)とを有する骨組機構(5)を構成し、下ロクロ(4)の上昇により中棒(1)の軸線に対する受骨(7)の角度θが９０度に近いがθ＞９０度となるように骨組機構(5)を開傘せしめ、下ロクロ(4)の下降により骨組機構(5)を閉傘せしめるように構成して成る洋傘において、
骨組機構(5)を開傘位置から閉傘位置に向けて弾発付勢する閉傘弾発手段(10)と、中棒の内部で上下方向に延びる連動連結手段(13)と、手元に位置して設けられると共に前記連動連結手段(13)の下端部に連結された操作手段(12)と、前記連動連結手段(13)の上端部に連結されると共にハジキ(9)の近傍に位置して中棒の内部に上下動自在に設けられた移動手段(14)と、該移動手段(14)が下動したとき該下動に連動してハジキ(9)を中棒の内部に没入せしめる駆動手段(15)とを備えており、
開傘位置に上昇せしめられた下ロクロ(4)を中棒から突出したハジキ(9)に係止した開傘状態から、操作手段(12)を操作することにより連結駆動手段(13)を下向きに牽引したとき、移動手段(14)が下動することにより駆動手段(15)を駆動してハジキ(9)を中棒(1)の内部に没入せしめ、骨組機構(5)を閉傘弾発手段(10)により自動的に閉傘せしめるように構成されて成ることを特徴とする自動閉傘洋傘。
【請求項２】
下端部に手元(2)を設けた中棒(1)と、該中棒の上端部に固定された上ロクロ(3)と、該上ロクロの下方において中棒に昇降自在に外挿された下ロクロ(4)と、中棒に出没自在に設けられ常時突出状態に弾発されることにより下ロクロを上昇位置から下降しないように係止するハジキ(9)とを備えており、
基端部を上ロクロに枢着した親骨(6)と、基端部を下ロクロに枢着すると共に先端部を親骨の中途部に枢結した受骨(7)とを有する骨組機構(5)を構成し、下ロクロ(4)の上昇により中棒(1)の軸線に対する受骨(7)の角度θがθ＜９０度となるように骨組機構(5)を開傘せしめ、下ロクロ(4)の下降により骨組機構(5)を閉傘せしめるように構成して成る洋傘において、
骨組機構(5)を開傘位置から閉傘位置に向けて弾発付勢する閉傘弾発手段(10)と、中棒の内部で上下方向に延びる連動連結手段(13)と、手元に位置して設けられると共に前記連動連結手段(13)の下端部に連結された操作手段(12)と、前記連動連結手段(13)の上端部に連結されると共に下ロクロ(4)を開傘位置から下向きに押動するように中棒の外周に上下移動自在に設けられた押動手段(11)と、前記連動連結手段(13)の上端部に連結されると共にハジキ(9)の近傍に位置して中棒の内部に上下動自在に設けられた移動手段(14)と、該移動手段(14)が下動したとき該下動に連動してハジキ(9)を中棒の内部に没入せしめる駆動手段(15)とを備えており、
開傘位置に上昇せしめられた下ロクロ(4)を中棒から突出したハジキ(9)に係止した開傘状態から、操作手段(12)を操作することにより連結駆動手段(13)を下向きに牽引したとき、移動手段(14)が下動することにより駆動手段(15)を駆動してハジキ(9)を中棒(1)の内部に没入せしめると共に、押動手段(11)が下動することにより前記角度θがθ＞９０度となる位置まで下ロクロ(4)を閉傘方向に押動せしめ、骨組機構(5)を閉傘弾発手段(10)により自動的に閉傘せしめるように構成されて成ることを特徴とする自動閉傘洋傘。
【発明の詳細な説明】
【技術分野】
【０００１】
本発明は、骨組機構を開傘した状態から、手元の操作手段を操作するだけで、骨組構造を自動的に閉傘できるようにした自動閉傘洋傘に関する。
【背景技術】
【０００２】
従来、洋傘は、下端部に手元を設けた中棒と、該中棒の上端部に固定された上ロクロと、該上ロクロの下方において中棒に昇降自在に外挿された下ロクロと、中棒に出没自在に設けられ常時突出状態に弾発されることにより下ロクロを上昇位置から下降しないように係止するハジキとを備え、基端部を上ロクロに枢着した親骨と、基端部を下ロクロに枢着すると共に先端部を親骨の中途部に枢結した受骨とを有する骨組機構を構成し、下ロクロの上昇により骨組機構を開傘せしめ、下ロクロの下降により骨組機構を閉傘せしめるように構成した手開きの洋傘が公知である。
【０００３】
このような手開きの洋傘を開傘するに際しては、下ロクロを手で把持することにより中棒に沿って上昇させれば骨組機構が開傘し、下ロクロが上昇位置でハジキに係止するので、開傘状態が保持される。そして、閉傘するに際しては、手の指先でハジキを中棒に没入させると共に、下ロクロを手で把持することにより中棒に沿って下降させれば骨組機構が閉傘する。
【０００４】
ところで、雨天のなかで洋傘を開傘状態から閉傘する際に、前述のような作業を行うことは煩雑であり、このため、骨組機構を開傘した状態から、手元の操作手段を操作するだけで、骨組構造を自動的に閉傘できるようにした自動閉傘洋傘が提案されている。
【０００５】
従来の自動閉傘洋傘は、骨組機構を開傘位置から閉傘位置に向けて弾発付勢する閉傘弾発手段を設けているが、ハジキを有しないノンハジキ式の洋傘を構成しており、開傘状態において、下ロクロが受骨を水平姿勢から更に上方に持ち上げた位置で停止するように構成されている。即ち、前記閉傘弾発手段を設けているので、骨組機構を閉傘方向に弾発付勢する力は、下ロクロの上昇により受骨が水平姿勢となるまでは下ロクロを下降せしめる方向に分力が作用しているが、下ロクロを更に上昇することにより受骨が水平姿勢を超える姿勢（下ロクロに枢着された基端部から先端部に向けて下降する姿勢）になると、下ロクロを上昇せしめる方向に分力が作用する。従って、ハジキを設けなくても、下ロクロは下降しないので、開傘状態が維持される。
【０００６】
そこで、従来の自動閉傘洋傘は、手元に設けた操作手段と、開傘位置まで上昇した下ロクロを閉傘方向に押動させる押動手段とを設け、操作手段を操作したとき、押動手段により受骨がほぼ水平姿勢となる位置まで下ロクロを下動させるように構成されている。
【特許文献１】実開平３−１２９３０９
【特許文献２】実用新案登録第３０９５７２５号
【発明の開示】
【発明が解決しようとする課題】
【０００７】
上述のように、従来の自動閉傘洋傘は、ハジキを有しないノンハジキ式の洋傘であるから、受骨の姿勢が水平姿勢を超える位置まで下ロクロを上昇させた開傘状態から、操作手段を操作することにより押動手段により下ロクロを所定の位置まで下動してやるだけで、骨組機構が自動的に閉傘される。従って、構造が簡単である。
【０００８】
然しながら、ハジキを有しないため、強風に煽られる等により、下ロクロが開傘位置から閉傘方向に押動すると、突然に骨組構造が自動閉傘する危険がある。
【０００９】
本発明は、開傘状態において下ロクロをハジキに係止せしめ、強風等に煽られた場合でも骨組機構を開傘状態に維持できるように構成しながらも、ユーザが閉傘を望むときは、手元の操作手段を操作するだけで、骨組機構を自動的に閉傘できるようにした自動閉傘洋傘を提供することを目的とする。
【課題を解決するための手段】
【００１０】
そこで、本発明が第一の手段として構成したところは、下端部に手元を設けた中棒と、該中棒の上端部に固定された上ロクロと、該上ロクロの下方において中棒に昇降自在に外挿された下ロクロと、中棒に出没自在に設けられ常時突出状態に弾発されることにより下ロクロを上昇位置から下降しないように係止するハジキとを備えており、基端部を上ロクロに枢着した親骨と、基端部を下ロクロに枢着すると共に先端部を親骨の中途部に枢結した受骨とを有する骨組機構を構成し、下ロクロの上昇により中棒の軸線に対する受骨の角度θが９０度に近いがθ＞９０度となるように骨組機構を開傘せしめ、下ロクロの下降により骨組機構を閉傘せしめるように構成して成る洋傘において、骨組機構を開傘位置から閉傘位置に向けて弾発付勢する閉傘弾発手段と、中棒の内部で上下方向に延びる連動連結手段と、手元に位置して設けられると共に前記連動連結手段の下端部に連結された操作手段と、前記連動連結手段の上端部に連結されると共にハジキの近傍に位置して中棒の内部に上下動自在に設けられた移動手段と、該移動手段が下動したとき該下動に連動してハジキを中棒の内部に没入せしめる駆動手段とを備えており、開傘位置に上昇せしめられた下ロクロを中棒から突出したハジキに係止した開傘状態から、操作手段を操作することにより連結駆動手段を下向きに牽引したとき、移動手段が下動することにより駆動手段を駆動してハジキを中棒の内部に没入せしめ、骨組機構を閉傘弾発手段により自動的に閉傘せしめるように構成されて成る点にある。
【００１１】
また、本発明が第二の手段として構成したところは、下端部に手元を設けた中棒と、該中棒の上端部に固定された上ロクロと、該上ロクロの下方において中棒に昇降自在に外挿された下ロクロと、中棒に出没自在に設けられ常時突出状態に弾発されることにより下ロクロを上昇位置から下降しないように係止するハジキとを備えており、基端部を上ロクロに枢着した親骨と、基端部を下ロクロに枢着すると共に先端部を親骨の中途部に枢結した受骨とを有する骨組機構を構成し、下ロクロの上昇により中棒の軸線に対する受骨の角度θがθ＜９０度となるように骨組機構を開傘せしめ、下ロクロの下降により骨組機構を閉傘せしめるように構成して成る洋傘において、骨組機構を開傘位置から閉傘位置に向けて弾発付勢する閉傘弾発手段と、中棒の内部で上下方向に延びる連動連結手段と、手元に位置して設けられると共に前記連動連結手段の下端部に連結された操作手段と、前記連動連結手段の上端部に連結されると共に下ロクロを開傘位置から下向きに押動するように中棒の外周に上下移動自在に設けられた押動手段と、前記連動連結手段の上端部に連結されると共にハジキの近傍に位置して中棒の内部に上下動自在に設けられた移動手段と、該移動手段が下動したとき該下動に連動してハジキを中棒の内部に没入せしめる駆動手段とを備えており、開傘位置に上昇せしめられた下ロクロを中棒から突出したハジキに係止した開傘状態から、操作手段を操作することにより連結駆動手段を下向きに牽引したとき、移動手段が下動することにより駆動手段を駆動してハジキを中棒の内部に没入せしめると共に、押動手段が下動することにより前記角度θがθ＞９０度となる位置まで下ロクロを閉傘方向に押動せしめ、骨組機構を閉傘弾発手段により自動的に閉傘せしめるように構成されて成る点にある。
【発明の効果】
【００１２】
本発明によれば、洋傘を閉傘状態から開傘するに際しては、従来の手開きの洋傘と同様に、下ロクロ４を手で把持することにより中棒１に沿って上昇させれば骨組機構５が開傘し、下ロクロ４が上昇位置でハジキ９に係止するので、開傘状態が保持される。従って、従来のノンハジキ式の自動閉傘洋傘のように強風等に煽られた場合に骨組機構が不慮に突然閉傘するような危険はなく、安全に使用できる。
【００１３】
ところで、本発明によれば、洋傘を開傘状態から閉傘するに際しては、操作手段１２を操作するだけで、下ロクロ４に対するハジキ９の係止が解除され、閉傘弾発手段１０により骨組機構５を自動的に閉傘することができる。
【００１４】
そして、請求項１に記載の本発明によれば、下ロクロ４を上昇した開傘状態において、中棒１の軸線に対する受骨７の角度θは９０度に近いがθ＞９０度となるように骨組機構５を開傘せしめているので、閉傘弾発手段１０により受骨７には下ロクロ４を下降せしめる方向の分力が働いている。そこで、操作手段１２を操作すると、ハジキ９が中棒１の内部に没入せしめられるので、閉傘弾発手段１０により、骨組機構５は、下ロクロ４を下降させながら自動的に閉傘される。
【００１５】
これに対して、請求項２に記載の本発明によれば、下ロクロ４を上昇した開傘状態において、中棒１の軸線に対する受骨７の角度θはθ＜９０度となるように骨組機構５を開傘せしめているので、閉傘弾発手段１０により受骨７には下ロクロ４を上昇せしめる方向の分力が働いており、安定した開傘状態を保持している。そこで、操作手段１２を操作すると、ハジキ９が中棒１の内部に没入せしめられると共に、押動手段１１が下動され、受骨７の前記角度θをθ＞９０度とする位置まで下ロクロ４を押動するので、閉傘弾発手段１０により、骨組機構５は、下ロクロ４を下降させながら自動的に閉傘される。
【発明を実施するための最良の形態】
【００１６】
以下図面に基づいて本発明の好ましい実施形態を詳述する。
【００１７】
（全体構成）
図１に概略を示すように、自動開傘洋傘としての洋傘は、中棒１の下端部に手元２を設けると共に上端部に固定された上ロクロ３を設け、該上ロクロ３の下方において中棒１に下ロクロ４を昇降自在に外挿している。骨組機構５は、基端部を上ロクロ３に枢着した親骨６と、基端部を下ロクロ４に枢着すると共に先端部を親骨６の中途部の枢結片８に枢結した受骨７とから構成されている。従って、骨組機構５は、下ロクロ４を上昇したとき、受骨７が親骨６を押し上げることにより開傘され、手開きの洋傘を構成する。その一方において、骨組機構５は、開傘状態から下ロクロ４を下降したとき、受骨７が親骨６を引き下げることにより、閉傘されるものであるが、後述するように、閉傘を自動的に行う自動閉傘洋傘を構成している。
【００１８】
下ロクロ４を上昇させることにより骨組機構５を開傘した状態で、下ロクロ４の胴部４ａに係止し、該下ロクロ４の下降を阻止するハジキ９が設けられている。該ハジキ９は、バネ板等により形成され、中棒１に出没自在に設けられると共に、常時は突出状態に弾発されている。ハジキ９の側縁は、下向き円弧状のガイド縁を形成しており、従って、ハジキ９は、下ロクロ４を閉傘位置から開傘位置に向けて上昇させたとき、ガイド縁を介して押し込まれることにより中棒１に没入した後、下ロクロ４が通過するや否や、弾発復帰して中棒１から突出し、下ロクロ４に係止する。
【００１９】
閉傘位置から開傘位置に向けて、下ロクロ４と共に受骨７の基端部を上昇させると、受骨７と該受骨７の基端から上方に延びる中棒１の軸線との間の角度θが次第に広がる。図例の場合、開傘状態において、角度θ＞９０度とした例を示しているが、本発明は、θ＞９０度に設定する場合（請求項１に記載した構成の場合）と、θ＝９０度又はθ＜９０度となるように設定する場合（請求項２に記載した構成の場合）との二通りがあり、前者の場合は、後述する押動手段１１は設けなくても良いことを諒解されたい。
【００２０】
（閉傘弾発手段）
骨組機構５には、親骨６及び／又は受骨７を開傘位置から閉傘位置に向けて弾発付勢する閉傘弾発手段１０が設けられている。
【００２１】
（閉傘弾発手段の第１実施例）
図２（Ａ）は、閉傘弾発手段１０の第１実施例を示しており、受骨７を桜骨により形成することにより、受骨７それ自体により閉傘弾発手段１０を構成している。即ち、図示のように、受骨７の各々は、２本１組の弾性骨７ａ、７ｂにより構成され、受骨７の先端においては、１組の弾性骨７ａ、７ｂの先端を接合状態で親骨６の枢結片８に枢結する一方、受骨７の基端においては、隣り合う異組の弾性骨７ａ、７ｂの基端を接合状態で下ロクロ４に枢結している。従って、図２（Ａ）に示す開傘状態において、受骨７の各々が１組の弾性骨７ａ、７ｂを相互に離反しながら円弧状に湾曲するように弾性変形され、弾力を蓄積するように構成されている（湾曲状態で複数本の受骨７が桜花びらに類似する外観を呈するので桜骨と称される）。そこで、前記ハジキ９の係止を解くことにより下ロクロ４を自由な状態に開放すると、受骨７の各々における１組の弾性骨７ａ、７ｂが湾曲状態から直線状態に弾性復元することにより伸長しながら下ロクロ４を下降させるので、これにより骨組機構５を閉傘せしめる。弾性骨７ａ、７ｂにより形成された閉傘弾発手段１０は、受骨７の長さに対する弾力の蓄積量を設定することにより、骨組機構５がほぼ完全に閉傘状態となるまで弾性復元力を作用させるように構成することができる。
【００２２】
（閉傘弾発手段の第２実施例）
図２（Ｂ）は、閉傘弾発手段１０の第２実施例を示しており、親骨６と受骨７を相互に閉傘方向に向けて弾発付勢するスプリング１０ａにより閉傘弾発手段１０を構成しており、図例の場合、枢結片８に設けられた枢軸８ａに巻回され両端により親骨６と受骨７を相互に拡開方向に弾発付勢する鶴巻バネによりスプリング１０ａを構成している。そこで、骨組機構５を開傘した状態において、スプリング１０ａが両端の間隔を狭められることにより弾力を蓄積しているので、下ロクロ４を自由な状態に開放すると、スプリング１０ａの両端が拡開方向に弾性復元することにより、親骨６と受骨７の角度αを広げながら下ロクロ４を下降させるので、これにより骨組機構５を閉傘せしめる。スプリング１０ａの弾力蓄積量は、骨組機構５がほぼ完全に閉傘状態となるまで弾性復元力を作用させるように構成することができる。
【００２３】
（閉傘操作駆動手段）
図１に示すように、下ロクロ４を開傘位置から閉傘方向に向けて押動するように中棒１に上下移動自在に設けられた押動手段１１と、手元２に設けられた操作手段１２と、中棒１の内部で上下方向に延びる連結駆動手段１３と、ハジキ９の近傍に位置して中棒１の内部に上下動自在に設けられた移動手段１４と、該移動手段１４が下動したとき該下動に連動してハジキ９を中棒１の内部に没入せしめる駆動手段１５とが設けられている。
【００２４】
このような構成により、洋傘は、手開きにより下ロクロ４を前記押動手段１１に到達するまで上昇させハジキ９に係止せしめた開傘状態から、操作手段１２を操作することにより連結駆動手段１３を作動すると、移動手段１４と押動手段１１が下動する。移動手段１４は駆動手段１５を駆動するための駆動源とされており、移動手段１４が下動すると駆動手段１５が駆動され、ハジキ９を中棒１に没入せしめる。更に、押動手段１１が下動することにより下ロクロ４を閉傘方向に向けて押動し、前述した閉傘弾発手段１０を介して骨組機構５を自動的に閉傘せしめる
【００２５】
（本発明の第１実施形態）
図３ないし図６は、本発明の第１実施形態を示している。押動手段１１は、図３に示すように、上ロクロ３の直下に位置して中棒１に上下動自在に外挿された環体１１ａにより構成されている。操作手段１２は、図４に示すように、手元２に設けられたスライド釦１６により構成されている。連動連結手段１３は、図３及び図４に示すように、中棒１の内部を延びるロッド又はワイヤー等により構成されている。移動手段１４は、図３に示すように、開傘位置にある下ロクロ４に近傍する位置において中棒１に上下摺動自在に内挿されたパイプにより形成されたスライダ１７から構成されている。該スライダ１７にハジキ９を取付けた構成と、後述するハジキ９のガイド縁９ａ並びに孔１８及び溝１９の構成により、ハジキのための駆動手段１５を構成している。
【００２６】
移動手段１４を構成するスライダ１７は、パイプの内部にハジキ９を装備しており、該ハジキ９は、スライダ１７のパイプに形成された孔１８から常時突出するように弾発付勢されており、該スライダ１７を上昇させたとき前記孔１８が中棒１の溝１９に合致することにより、ハジキ９を孔１８と溝１９を介して中棒１の周面に突出せしめる。従って、スライダ１７を図３（Ａ）に示す上昇位置に上動させた状態で、孔１８と溝１９が合致しているので、ハジキ９は、孔１８と溝１９を挿通することにより中棒１の周面に突出しているが、この状態から、スライダ１７を図３（Ｂ）に示すように下動すると、駆動手段１５が駆動されることにより、ハジキ９を中棒１の内部に没入せしめる。即ち、スライダ１７が下動されると、該スライダ１７に取付けられたハジキ９が下動され、該ハジキ９のガイド縁９ａを溝１９の下端に摺擦されるので、ハジキ９はその弾力に抗して中棒１の内部に没入する。
【００２７】
図３（Ａ）に示すように、スライダ１７の上部には、上下方向に所定の長さを有する遊動孔２０が直径方向に形成されており、該遊動孔２０に近傍して中棒１にも上下方向に所定の長さを有する移動孔２１が直径方向に形成されている。押動手段１１を構成する環体１１ａは、上ロクロ３から垂下されたストッパー２２に当接した位置により開傘位置を規定し、該開傘位置から前記移動孔２１の所定長さに相当するストロークだけ下動可能とされている。そこで、押動手段１１は、中棒１の移動孔２１とスライダ１７の遊動孔２０を挿通するピン２３に連結されており、押動手段１１をストッパー２２に当接し且つ下ロクロ４を押動手段１１に当接した開傘状態において、前記ピン２３は、移動孔２１の上端であって且つ遊動孔２０の下端に位置するように設定されている。
【００２８】
スライダ１７の下端部は、図３（Ａ）に示すように、連動連結手段１３の上端に連結されると共に、スプリング２４により常時上動する方向に付勢されている。図例の場合、スプリング２４は、スライダ１７の下端と、中棒１の内部に固定された受座２５との間に介装された圧縮コイルスプリングにより構成されている。
【００２９】
操作手段１２を構成するスライド釦１６は、図４（Ａ）に示すように、中棒１と手元２を貫通して形成された上下方向に延びるスリット２６に挿入されるガイド部２７と、該ガイド部２７を上下方向に移動させるために手元２の外周面に添設された釦部２８とを備えており、前記ガイド部２７に連動連結手段１３の下端部を連結している。
【００３０】
（開傘状態）
図３（Ａ）及び図４（Ａ）は、洋傘を開傘した状態を示している。図３（Ａ）に示すように、スライダ１７は、スプリング２４により上動し、遊動孔２０の下端をピン２３に当接した位置で停止保持されている。尚、スライダ１７の上動により、ピン２３は、移動孔２１の上端に当接し、環体１１ａをストッパー２２の下端に当接せしめている。同様に、スライダ１７の上動により、図４（Ａ）に示すように、連動連結手段１３を介してスライド釦１６が上動され、ガイド部２７をスリット２６の上端に位置せしめている。
【００３１】
上述した通り、開傘状態において、図３（Ａ）に示すように、下ロクロ４は、環体１１ａに当接又は近接する位置まで上昇されており、骨組機構５を図１の実線に示すように開傘している。この状態で、スライダ１７の孔１８と中棒１の溝１９が合致しているので、ハジキ９は、孔１８及び溝１９を挿通して中棒１の外周に突出され、下ロクロ４の胴部４ａに係止することにより、下ロクロ４が下降することを阻止している。
【００３２】
（閉傘始動状態）
図３（Ｂ）及び図４（Ｂ）は、洋傘を開傘状態から閉傘させるための閉傘始動状態を示している。図４（Ｂ）に示すように、手元２に位置するスライド釦１６を所定距離だけ下動させると、連動連結手段１４を介して牽引されることにより、図３（Ｂ）に示すように、スライダ１７がスプリング２４に抗して下動し、遊動孔２０の上端がピン２３に当接するまで下動する。この下動ストロークは、スライダ１７と共に下動するハジキ９のガイド縁９ａの上端が中棒１の溝１９の下端に位置するまでの距離に等しく、上述した駆動手段１５により、ハジキ９を中棒１の周面から没入させ、下ロクロ４を下降自由な状態となるように解放する。尚、このとき、押動手段１１を構成する環体１１ａは、未だ下動せず、停止状態のままである。
【００３３】
（閉傘駆動状態）
図３（Ｃ）及び図４（Ｃ）は、前述した閉傘始動の後、下ロクロ４を閉傘駆動させる状態を示している。図４（Ｃ）に示すように、手元２においてスライド釦１６を更に下動させると、連動連結手段１４を介して牽引されることにより、図３（Ｃ）に示すように、スライダ１７がスプリング２４に抗して更に下動する。この際、スライダ１７の遊動孔２０の上端に当接したピン２３が下動されるので、押動手段１１を構成する環体１１ａを下動することにより、下ロクロ４を下向きに押動する。従って、開傘状態において受骨７の角度θ（図１参照）がθ＜９０度とされた骨組機構５の場合でも、押動手段１１によりθ＞９０度となるまで下ロクロ４が押し下げられる。そして、下ロクロ４をθ＞９０度となる位置まで押動すると、上述した閉傘弾発手段１０により受骨７には下ロクロ４を閉傘方向に向けて下降させる方向の分力が作用するので、以後は、閉傘弾発手段１０の付勢力により下ロクロ４を完全閉傘位置まで下降させる。
【００３４】
（閉傘完了後の状態）
上記のようにして自動閉傘を行わしめた後の状態を図５に示している。手元２のスライド釦１６を操作力から解放すると、スライダ１７は、スプリング２４により上昇復帰し、連動連結手段１３を介してスライド釦１６も元の位置に復帰する。スライダ１７は、先ず、図５（Ａ）に示すように遊動孔２０の下端がピン２３に当接するまで上動し、引き続いて上動することにより、図５（Ｂ）に示すようにピン２３を移動孔２１の上端に当接するまで持ち上げ、押動手段１１をストッパー２２に当接する元の位置まで上動する。上動が完了した状態で、スライダ１７の孔１８に位置するハジキ９が中棒１の溝１９に臨ましめられるので、ハジキ９は中棒１の周面に突出する。
【００３５】
この状態から、手開きにより洋傘を開傘するに際しては、上述したように下ロクロ４を上昇させれば良く、図５（Ｃ）に示すように、ハジキ９は、下ロクロ４の上昇により、ガイド縁９ａを介して中棒１に没入し、下ロクロ４が開傘位置に移動したとき中棒１の溝１９から突出する（図３（Ａ）参照）。
【００３６】
（本発明の第２実施形態）
図７及び図８は、本発明の第２実施形態を示している。押動手段１１は、図７に示すように、上ロクロ３の直下に位置して中棒１に上下動自在に外挿された環体１１ａにより構成されており、環体１１ａは、上下方向に所定長さを有して中棒１の直径方向に形成された移動孔２１に挿通されたピン２３に固定されている。操作手段１２は、図８に示すように、手元２に設けられたレバー１６ａにより構成されている。連動連結手段１３は、図７及び図８に示すように、中棒１の内部を延びるロッド又はワイヤー等により構成されている。移動手段１４は、図７に示すように、開傘位置にある下ロクロ４に近傍する位置において中棒１に上下移動自在に内挿された移動体１７ａにより構成されている。
【００３７】
ハジキ９は、中棒１に固定された尾端部から中棒１の内部を湾曲して下方に延びるアーム９ｂと、該アーム９ｂの下端に設けられた係止部９ｃを備えており、常時、係止部９ｃを中棒１の溝１９から外方に突出するように弾発付勢されている。尚、係止部９ｃの外側縁にはガイド縁９ａが形成されている。
【００３８】
移動手段１４を構成する移動体１７ａは、上端を前記ピン２３に連結されると共に、下端を連動連結手段１３に連結されており、上下方向中途部にハジキ９のアーム９ｂの内側縁に摺動自在に係合する駆動片２９を設けている。駆動片２９とアーム９ｂの関係は、移動体１７ａを図７（Ａ）に示す上昇位置に上動させた状態で、駆動片２９がアーム９ｂの中間部に位置し、ハジキ９の係止部９ｃを溝１９から突出させているが、移動体１７ａを図７（Ｂ）（Ｃ）に示すように下動すると、駆動片２９がアーム９ｂの下端に向けて摺動し、ハジキ９の係止部９ｃを溝１９の内部に没入させるカム機構を構成しており、これにより駆動機構１５を構成する。
【００３９】
操作手段１２を構成するレバー１６ａは、図４（Ａ）に示すように、手元２のブラケット３０に対して回動自在に枢結されており、該レバー１６ａと動向回転する作動アーム３１を手元２から中棒１の内部に向けて延設し、該作動アーム３１の先端に連動連結手段１３の下端部を連結している。
【００４０】
（開傘状態）
図７（Ａ）及び図８（Ａ）は、洋傘を開傘した状態を示している。図７（Ａ）に示すように、ハジキ９は、アーム９ｂの弾性力により、係止部９ｃを溝１９から外方に突出せしめている。移動体１７ａは、アーム９ｂの側縁に駆動片２９を当接せしめられた状態で上動されており、これにより移動体１７ａを上動位置に停止保持し、ピン２３を移動孔２１の上端に当接せしめている。従って、環体１１ａはストッパー２２の下端に当接している。同様に、移動体１７ａの上動により、図８（Ａ）に示すように、連動連結手段１３を介して作動アーム３１が上動され、レバー１６ａを手元２に対して開いている。
【００４１】
上述の通り、開傘状態において、図７（Ａ）に示すように、下ロクロ４は、環体１１ａに当接又は近接する位置まで上昇されており、骨組機構５を図１の実線に示すように開傘している。そして、ハジキ９の係止部９ｃは、溝１９から中棒１の外周に突出され、下ロクロ４の胴部４ａを係止することにより、下ロクロ４が下降することを阻止している。
【００４２】
（閉傘始動状態）
図７（Ｂ）は、洋傘を開傘状態から閉傘させるための閉傘始動状態を示している。手元２に位置するレバー１６ａを閉じる方向に回動することにより、作動アーム３１により連動連結手段１４を下向きに牽引すると、図７（Ｂ）に示すように、移動体１７ａが下動を開始する。この際、上記駆動手段１５に基づいて、駆動片２９が下動するに伴いハジキ９のアーム９ｂが弾性変形され、係止部９ｃを中棒１の内部に没入するので、下ロクロ４は、下降自由な状態となるように解放される。尚、図例の場合、移動体１７ａの下動と同時に環体１１ａを下動するように構成しているが、上述した第１実施形態と同様に、移動体１７ａとピン２３の間に遊動孔を設けることにより、環体１１ａを停止状態のままとするように構成しても良い。
【００４３】
（閉傘駆動状態）
図７（Ｃ）及び図８（Ｃ）は、前述した閉傘始動の後、下ロクロ４を閉傘駆動させる状態を示している。図８（Ｃ）に示すように、手元２においてレバー１６ａを更に回動させることにより、連動連結手段１４を牽引すると、図７（Ｃ）に示すように、移動体１７ａが更に下動し、ピン２３が移動孔２１の下端に当接するまで環体１１ａを下動することにより、下ロクロ４を下向きに押動する。従って、開傘状態において受骨７の角度θ（図１参照）がθ＜９０度とされた骨組機構５の場合でも、押動手段１１によりθ＞９０度となるまで下ロクロ４が押し下げられる。そして、下ロクロ４がθ＞９０度となる位置まで押動されると、上述した閉傘弾発手段１０により下ロクロ４を閉傘方向に向けて下降させる分力が働くので、以後は、閉傘弾発手段１０の付勢力により下ロクロ４を完全閉傘位置まで下降させる。
【００４４】
（閉傘完了後の状態）
上記のようにして自動閉傘を行わしめた後、手元２のレバー１６ａを操作力から解放すると、ハジキ９のアーム９ｂが弾性復元することにより、駆動片２９を押し上げる。これにより、移動体１７ａは、図７（Ａ）に示した元の位置に上昇復帰し、連動連結手段１３を介してレバー１６ａも元の位置に復帰する。尚、この状態から、手開きにより洋傘を開傘するに際しては、上述したように下ロクロ４を上昇させると、ハジキ９は、下ロクロ４の上昇により、ガイド縁９ａを介して中棒１に没入し、下ロクロ４が開傘位置に移動したとき中棒１の溝１９から突出する（図７（Ａ）参照）。
【図面の簡単な説明】
【００４５】
【図１】本発明に係る自動閉傘洋傘の実施形態を示す外観図である。
【図２】閉傘弾発手段の実施例を示しており、（Ａ）は閉傘弾発手段の第１実施例を下から見た説明図であり、（Ｂ）は閉傘弾発手段の第２実施例を側面から見た説明図と要部拡大断面図である。
【図３】本発明に係る自動閉傘洋傘の駆動部に関する第１実施形態を示しており、（Ａ）は開傘状態を示す断面図、（Ｂ）は開傘始動状態を示す断面図、（Ｃ）は閉傘駆動状態を示す断面図である。
【図４】本発明に係る自動閉傘洋傘の操作部に関する第１実施形態を示しており、（Ａ）は開傘状態を示す断面図、（Ｂ）は開傘始動状態を示す断面図、（Ｃ）は閉傘駆動状態を示す断面図である。
【図５】本発明に係る自動閉傘洋傘の駆動部に関する第１実施形態の閉傘完了後の状態を示しており、（Ａ）は移動手段が上動を開始した状態を示す断面図、（Ｂ）は移動手段が上動を完了した状態を示す断面図、（Ｃ）は開傘を行う場合の作用を示す断面図である。
【図６】本発明に係る自動閉傘洋傘の駆動部に関する第１実施形態の分解斜視図である。
【図７】本発明に係る自動閉傘洋傘の駆動部に関する第２実施形態を示しており、（Ａ）は開傘状態を示す断面図、（Ｂ）は開傘始動状態を示す断面図、（Ｃ）は閉傘駆動状態を示す断面図である。
【図８】本発明に係る自動閉傘洋傘の操作部に関する第２実施形態を示しており、（Ａ）は開傘状態を示す断面図、（Ｂ）は閉傘駆動状態を示す断面図である。
【符号の説明】
【００４６】
１  中棒
２  手元
３  上ロクロ
４  下ロクロ
５  骨組機構
６  親骨
７  受骨
９  ハジキ
１０  閉傘弾発手段
１１  押動手段
１２  操作手段
１３  連動連結手段
１４  移動手段
１５  駆動手段
【図１】
2006158858.tif 000003
【図２】
2006158858.tif 000004
【図３】
2006158858.tif 000005
【図４】
2006158858.tif 000006
【図５】
2006158858.tif 000007
【図６】
2006158858.tif 000008
【図７】
2006158858.tif 000009
【図８】
2006158858.tif 000010